(57)【特許請求の範囲】
【請求項１】
ホログラム原版にホログラム感材を重ね合わせてホログラムを複製する方法において、ホログラム原版として２次回折光の回折角の絶対値が０次透過光の出射角の絶対値及び１次回折光の回折角の絶対値の間にあるものに対して、ホログラム原版の回折光出射面に０次透過光及び１次回折光の透過率が２次回折光の透過率に対して大きくなる透過率角度依存性を有するように構成された誘電体多層膜からなる不要次回折光反射層を設け、ホログラム原版／誘電体多層膜／屈折率整合液／ホログラム感材、の順で積層して、前記ホログラム原版側からホログラム複製のための照明光を入射させて、ホログラム原版からの０次透過光と１次回折光の干渉によりホログラムを複製することを特徴とするホログラム複製方法。
【請求項２】
前記誘電体多層膜の平均屈折率と前記ホログラム感材の入射面の材料の屈折率と差が０．１以下であることを特徴とする請求項１記載のホログラム複製方法。
【請求項３】
ホログラム感材を重ね合わせてホログラムを複製するためのホログラム原版において、該ホログラム原版は２次回折光の回折角の絶対値が０次透過光の出射角の絶対値及び１次回折光の回折角の絶対値の間にあるものであり、その複製のためのホログラム感材を配置する側の表面に、該ホログラム原版の０次透過光及び１次回折光の透過率が２次回折光の透過率に対して大きくなる透過率角度依存性を有する誘電体多層膜が設けられていることを特徴とするホログラム原版。
【発明の詳細な説明】
【０００１】
【発明の属する技術分野】
本発明は、ホログラム複製方法及びそのために用いるホログラム原版に関し、特に、２次回折光、その他の不要次数光によって生じる不要な干渉縞の記録を抑制したホログラム複製方法及びそのために用いるホログラム原版に関するものである。
【０００２】
【従来の技術】
位相ホログラム、振幅ホログラム等のホログラムは、ホログラム原版にフォトポリマー等のホログラム感材を重ね合わせて、透過型ホログラムの場合はホログラム原版側から、反射型ホログラムの場合はホログラム感材側から複製のための照明光を入射させ、透過照明光（透過型ホログラムの場合）あるいは入射照明光（反射型ホログラムの場合）とホログラム原版から回折された１次回折光とをホログラム感材中で干渉させてホログラム原版と同じ特性のホログラムが記録される。このホログラム記録方法はホログラム複製方法と呼ばれ、ホログラムカラーフィルター等の複製に用いられている（例えば、特願平５−１４５７２号）。
【０００３】
【発明が解決しようとする課題】
このようなホログラムカラーフィルター等のホログラム複製時に、ホログラム原版で生じる不要次回折光は、直進透過光や１次回折光と干渉して不要な干渉縞を同時に記録してしまい、目的の干渉縞の記録の妨げとなってしまう。
【０００４】
本発明は従来技術のこのような問題点に鑑みてなされたものであり、その目的は、ホログラム複製時に不要干渉縞が同時に記録されることを抑制したホログラム複製方法及びそのために用いるホログラム原版を提供することである。
【０００５】
【課題を解決するための手段】
上記目的を達成する本発明のホログラム複製方法は、ホログラム原版にホログラム感材を重ね合わせてホログラムを複製する方法において、ホログラム原版の回折光出射面に０次透過光あるいは１次回折光の透過率が大きくなる透過率角度依存性を有するように構成された誘電体多層膜からなる不要次回折光反射層を設け、ホログラム原版／誘電体多層膜／屈折率整合液／ホログラム感材、の順で積層して、前記ホログラム原版側あるいはホログラム感材側からホログラム複製のための照明光を入射させることを特徴とする方法である。
【０００６】
この場合に、誘電体多層膜の平均屈折率とホログラム感材の入射面の材料の屈折率と差が０．１以下であることが望ましい。
【０００７】
また、本発明のホログラム原版は、ホログラム感材を重ね合わせてホログラムを複製するためのホログラム原版において、複製のためのホログラム感材を配置する側の表面に、該ホログラム原版の０次透過光あるいは１次回折光の透過率が大きくなる透過率角度依存性を有する誘電体多層膜が設けられていることを特徴とするものである。
【０００８】
本発明においては、誘電体多層膜がホログラム原版からの不要次回折光を選択的に反射して、相対的にその比率を低減させるので、不要次回折光によって生じる不要な干渉縞の記録を抑制することができる。
【０００９】
【発明の実施の形態】
以下、本発明のホログラム複製方法及びそのために用いるホログラム原版を実施例に基づいて説明する。本発明においては、ホログラム原版の出射側（回折光出射側）に誘電体多層膜を設けることより、ホログラム原版からの不要次回折光の低減を図るものである。
【００１０】
なお、以下の実施例においては、ホログラム原版として透過型ホログラムを用いているが、本発明はホログラム原版が反射型ホログラムの場合にも適用できる。その場合には、複製のための入射光（照明光）をホログラム感材側から入射させるようにする。
【００１１】
図１に示すように、体積位相型ホログラム原版１の出射面に、以下の誘電体多層膜からなる不要次回折光反射層８を設ける。
【００１２】
誘電体多層膜８は、ホログラム原版１側から、
ＭｇＦ2 （膜厚３１３ｎｍ，屈折率１．３８）
ＺｎＳ  （  〃  ５０ｎｍ，  〃  ２．３５）
ＭｇＦ2 （  〃３１３ｎｍ，  〃  １．３８）
ＺｎＳ  （  〃  ５０ｎｍ，  〃  ２．３５）
ＭｇＦ2 （  〃３１３ｎｍ，  〃  １．３８）
ＺｎＳ  （  〃  ５０ｎｍ，  〃  ２．３５）
の６層構成であり、その誘電体多層膜８のＭｇＦ2 膜とＺｎＳ膜は真空スパッタリング法により順次所定膜厚だけ積層される。なお、屈折率は露光光の波長４８８ｎｍにおける屈折率であり、以下同じ。
【００１３】
ここで、誘電体多層膜８は、波長４８８ｎｍの入射光１０が入射角４５°で入射して透過した０次透過光１２に対して反射防止膜として機能するように最適化されている。
【００１４】
ホログラム感材２としては、ホログラム感材透明基板３上にホログラム感材層４としてフォトポリマーを塗布し、その上に水溶性樹脂のホログラム感材保護層５を設けたものを用いて、ホログラム原版１とホログラム感材２とを誘電体多層膜８がホログラム原版１のホログラム感材保護層５に面するように重ね合わせ、その間に屈折率整合液７として屈折率１．５０５のキシレンを介在させる。
【００１５】
このような積層構造のホログラム原版１側から波長４８８ｎｍの入射光１０を入射角４５°で複製照明光として入射させて、ホログラム原版１からの１次回折光１１と０次透過光１２とをホログラム感材層４中で干渉させてホログラム原版１と同じ特性のホログラムを複製する。
【００１６】
図２に、誘電体多層膜８の透過率の角度依存性を示す（波長４８８ｎｍのＳ偏光に対して）。図２から明らかなように、入射角０°と４５°近傍で透過率が高く、大きい入射角の光に対しては透過率が低下する。
【００１７】
また、次の表−１に、誘電体多層膜８を設ける前と後のホログラム原版１からの各次数の回折光の回折効率の変化を示す。
0004569986.tif 000002
表−１の結果から、誘電体多層膜８を設けることにより、有効な０次透過光１２と１次回折光１１に対して不要な２次回折光１３が略なくなっていることが分かる。
【００１８】
この実施例においては、誘電体多層膜８は、ホログラム記録に必要な０次透過光１２及び１次回折光１１を相対的に大きく低減することなく、これに対して２次回折光１１を効率的に低減できる。
【００１９】
この実施例のような入射角が最適化された誘電体多層膜８を用いる場合には、２次回折光１３の回折角が０次透過光１２の射出角と異なる限り有効である。特に、２次回折光１３の回折角が０次透過光１２の射出角よりも小さい場合に特に有効である。
【００２０】
以上、本発明のホログラム複製方法を実施例に基づいて説明してきたが、本発明はこれら実施例に限定されず種々の変形が可能である。なお、ホログラム原版としては、前記のように、透過型ホログラムであっても反射型ホログラムであってもよい。また、そのホログラム原版のホログラムも体積型でもレリーフ型でも位相型でも振幅型でも適用できる。
【００２１】
【発明の効果】
以上の説明から明らかなように、本発明のホログラム複製方法によると、誘電体多層膜がホログラム原版からの不要次回折光を選択的に反射して、相対的にその比率を低減させるので、不要次回折光によって生じる不要な干渉縞の記録を抑制することができる。
【図面の簡単な説明】
【図１】  本発明の実施例のホログラム複製方法を実施するための層構成を説明するための図である。
【図２】  実施例の反射防止層の透過率の角度依存性を示す図である。
【符号の説明】
１…ホログラム原版
２…ホログラム感材
３…ホログラム感材透明基板
４…ホログラム感材層
５…ホログラム感材保護層
７…屈折率整合液
８…不要次回折光反射層（誘電体多層膜）
１０…入射光
１１…１次回折光
１２…０次透過光
１３…２次回折光
【図１】
0004569986.tif 000003
【図２】
0004569986.tif 000004